(57)【要約】【課題】  ノンカーボン複写紙の記録濃度の向上を図る記録装置及び記録装置の制御方法を提供する。【解決手段】  キャリッジ１９に搭載された記録ヘッド１８が複数の記録ワイヤを有し、これら記録ワイヤの突出動作により、プラテン２０上に搬送されたシートに画像を記録する記録装置において、ノンカーボン複写紙に画像を記録するためのコピー記録モードを有し、このコピー記録モードで画像を記録する場合にノンカーボン複写紙を加熱する電気ヒータ４５を備えた。【選択図】      図２
2005081579.tif 000002
【特許請求の範囲】
【請求項１】
キャリッジに搭載された記録ヘッドが複数の記録ワイヤを有し、これら記録ワイヤの突出動作により、プラテン上に搬送されたシートに画像を記録する記録装置において、
ノンカーボン複写紙に画像を記録するための所定の記録モードを有し、
この所定の記録モードで画像を記録する場合にノンカーボン複写紙を加熱する加熱手段を備えたことを特徴とする記録装置。
【請求項２】
請求項１に記載の記録装置において、
前記加熱手段は、前記記録ヘッドの排熱を利用して前記ノンカーボン複写紙を加熱することを特徴とする記録装置。
【請求項３】
請求項２に記載の記録装置において、
前記加熱手段は、前記キャリッジに挿通されるキャリッジ軸に伝達される前記記録ヘッドの排熱を利用することを特徴とする記録装置。
【請求項４】
請求項１乃至請求項３のいずれか一項に記載の記録装置において、
前記加熱手段は、前記プラテンを加熱することを特徴とする記録装置。
【請求項５】
請求項１乃至請求項３のいずれか一項に記載の記録装置において、
前記加熱手段は、ノンカーボン複写紙が搬送される前記プラテンの上流側のシート搬送経路に配置されることを特徴とする記録装置。
【請求項６】
請求項１乃至請求項３のいずれか一項に記載の記録装置において、
前記加熱手段は、ノンカーボン複写紙が搬送される前記プラテンの下流側のシート搬送経路に配置されることを特徴とする記録装置。
【請求項７】
請求項１乃至請求項６のいずれか一項に記載の記録装置において、
前記加熱手段は、ノンカーボン複写紙の裏面を加熱することを特徴とする記録装置。
【請求項８】
キャリッジに搭載された記録ヘッドが複数の記録ワイヤを有し、これら記録ワイヤの突出動作により、プラテン上に搬送されたシートに画像を記録する記録装置の制御方法において、
ノンカーボン複写紙に画像を記録するための所定の記録モードに設定する記録モード設定過程と、
この所定の記録モードで画像を記録する場合にノンカーボン複写紙を加熱する加熱過程とを備えたことを特徴とする記録装置の制御方法。
【発明の詳細な説明】
【技術分野】
【０００１】
ノンカーボン複写紙を含むシートに記録ワイヤを突出させて画像を記録する記録装置及び記録装置の制御方法に関する。
【背景技術】
【０００２】
一般に、キャリッジに搭載された記録ヘッドが複数の記録ワイヤを有し、これら記録ワイヤの突出動作により、プラテン上に搬送されたシートに画像を記録する記録装置が知られている（例えば、特許文献１参照）。このシートとしては、複数枚綴りのノンカーボン複写紙がある。
【特許文献１】特開平８−１２７４４７号公報
【発明の開示】
【発明が解決しようとする課題】
【０００３】
ところで、上記記録装置においてノンカーボン複写紙に画像を記録した場合、ノンカーボン複写紙の温度が低いほど、ノンカーボン複写紙に記録された画像の発色性が低くなるため、画像の記録濃度が低くなり、記録品質が低下するという問題がある。特に、記録ワイヤにより打ち付けられるノンカーボン複写紙の下層の紙ほど発色性が低くなるため、記録濃度が低くなり、記録品質が低下するという問題がある。
【０００４】
そこで、本発明の目的は、上述した従来の技術が有する課題を解消し、ノンカーボン複写紙の記録品質の向上を図る記録装置及び記録装置の制御方法を提供することにある。
【課題を解決するための手段】
【０００５】
上記課題を解決するため、本発明は、キャリッジに搭載された記録ヘッドが複数の記録ワイヤを有し、これら記録ワイヤの突出動作により、プラテン上に搬送されたシートに画像を記録する記録装置において、ノンカーボン複写紙に画像を記録するための所定の記録モードを有し、この所定の記録モードで画像を記録する場合にノンカーボン複写紙を加熱する加熱手段を備えたことを特徴とするものである。
【０００６】
上記記録装置において、前記加熱手段は、前記記録ヘッドの排熱を利用して前記ノンカーボン複写紙を加熱してもよい。
【０００７】
また、上記記録装置において、前記加熱手段は、前記キャリッジに挿通されるキャリッジ軸に伝達される前記記録ヘッドの排熱を利用するようにしてもよい。
【０００８】
更に、上記記録装置において、前記加熱手段は、前記プラテンを加熱するようにしてもよい。
【０００９】
更にまた、上記記録装置において、前記加熱手段は、ノンカーボン複写紙が搬送される前記プラテンの上流側のシート搬送経路に配置されるようにしてもよい。
【００１０】
また、上記記録装置において、前記加熱手段は、ノンカーボン複写紙が搬送される前記プラテンの下流側のシート搬送経路に配置されるようにしてもよい。
【００１１】
更に、上記記録装置において、前記加熱手段は、ノンカーボン複写紙の裏面を加熱するようにしてもよい。
【００１２】
また、キャリッジに搭載された記録ヘッドが複数の記録ワイヤを有し、これら記録ワイヤの突出動作により、プラテン上に搬送されたシートに画像を記録する記録装置の制御方法において、ノンカーボン複写紙に画像を記録するための所定の記録モードに設定する記録モード設定過程と、この所定の記録モードで画像を記録する場合にノンカーボン複写紙を加熱する加熱過程とを備えたことを特徴としている。
【発明の効果】
【００１３】
本発明によれば、ノンカーボン複写紙が加熱されるので、ノンカーボン複写紙における画像の記録品質が向上する。
【発明を実施するための最良の形態】
【００１４】
以下、本発明の一実施形態を添付の図面を参照して説明する。
【００１５】
［１］第１実施形態
図１は、本発明に係る記録装置の第１実施形態が適用されたドットインパクトプリンタを示す斜視図である。図２は、図１のプリンタ本体を示す側断面図である。図３は、図１のプリンタ本体を示す斜視図である。
【００１６】
これら図に示す記録装置としてのプリンタ１０は、記録ヘッド１８の複数の記録ワイヤを、インクリボン（不図示）を介してシートに打ち付けてドットを記録することにより、文字を含む画像を印刷するドットインパクトプリンタである。このプリンタ１０は、記録装置本体としてのプリンタ本体１１と、プリンタ本体１１に装着されたプッシュトラクタユニット１２と、プリンタ本体１１の上方、下方をそれぞれ覆うアッパケース１１Ａ及びロアケース１１Ｂと、プリンタ本体１１の前方側に設置されてカットシートを案内するシート供給ガイド３９と、を有して構成される。
【００１７】
上記シートには、所定長さに切断された上記カットシートと、複数枚が連接された連続シートとがある。カットシートとしては、例えば単票紙、単票複写紙又はカットフィルム等があり、連続シートとしては連続紙又は連続複写紙がある。プリンタ１０に用いられる単票複写紙と連続複写紙は、複数枚綴りで構成されたノンカーボン複写紙である。このノンカーボン複写紙の複数枚の紙の内、記録ワイヤがインクリボンを介して打ち付けられる上層の紙の裏面には、発色剤をゼラチンで包んだ微小のカプセルが塗布してあり、その下層の紙の表面には、顕色剤が塗布してある。そして、ノンカーボン複写紙が記録ワイヤにより打ち付けられると、記録ワイヤの突出圧力で上記カプセル破壊されてこのカプセルから出た発色剤が下層の紙の表面の顕色剤と反応して発色し、下層の紙の表面に画像が現れるものである。このノンカーボン複写紙は、低温であるほど発色性が低く、加熱されると記録された画像がよい発色性を示すものである。
【００１８】
上記プリンタ本体１１は、図２及び図３に示すように、本体フレームとしてのベースフレーム１４、メインフレーム１５、左サイドフレーム１６及び右サイドフレーム１７と、記録機構部としての記録ヘッド１８及びキャリッジ１９と、シート搬送機構部としてのプラテン２０、シート案内２５、第１搬送ローラ２１、この第１搬送ローラ２１に対向する第２搬送ローラ２２、第３搬送ローラ２３及びこれに対向する第４搬送ローラ２４と、を有して構成される。また、４２はステーショナル形式のリボンカートリッジであり、このリボンカートリッジ４２にインクリボンが収納されている。
【００１９】
ベースフレーム１４及びメインフレーム１５の略両端部に、左サイドフレーム１６及び右サイドフレーム１７が立設して固定される。これらの左サイドフレーム１６と右サイドフレーム１７間に、キャリッジガイド板２６とキャリッジ軸２７とが上下方向に所定距離離れて架け渡される。キャリッジ軸２７は左サイドフレーム１６及び右サイドフレーム１７に回動自在に枢支される。左サイドフレーム１６と右サイドフレーム１７間にプラテン２０が架け渡されて配設されると共に、シート案内２５が固定して配設される。
【００２０】
プラテン２０は、平プラテンであり、図２に示すように、金属材料からなるプラテンベース２０Ａと、このプラテンベース２０Ａに貼り付けられる表面材２０Ｂとから構成される。
【００２１】
この表面材２０Ｂは、記録ヘッド１８から打ち出された記録ワイヤが衝突して、その衝撃力を緩和するものでありポリウレタンエラストマ、ゴム、或いはプラスチックなどが用いられる。また、この表面材２０Ｂは、ベース材にポリエステルフィルムを使用した厚さ０．０８ｍｍ程度の両面テープによって上記プラテンベース２０Ａに貼り付けられる。
【００２２】
プラテンベース２０Ａは、電気亜鉛めっきが施された鋼板（例えば、板厚１．６ｍｍ以上の鋼板）をプレス加工により断面略Ｕ字状に成形されている。なお、鋼板の原板としては、ＳＰＣＣ（冷間圧延鋼板）、Ｂｓ、ＳＵＳ（ステンレス鉄鋼材）などの金属板を広く適用することができる。
【００２３】
上記プッシュトラクタユニット１２は、連続シート（例えば連続紙）を、プラテン２０を備えた上記シート搬送機構部に供給するものであり、左右一対のトラクタ２８を有する。これらのトラクタ２８は、トラクタ駆動軸２９に回転一体且つ軸方向摺動自在に軸支されたトラクタ駆動プーリ２９Ａと、トラクタガイド軸３０に回転自在且つ軸方向に摺動自在に軸支されたトラクタ従動プーリ２９Ｂとにトラクタベルト３１が巻き掛けられ、シート押え蓋３２を備えて構成される。一対のトラクタ２８間の距離は、搬送すべき連続シート（連続紙）の幅寸法に応じて調整可能とされる。また、トラクタベルト３１の全外周に突設された複数本のピン３３が、連続シートの幅方向両側に穿設された孔（不図示）に係合可能とされる。プラテン２０を含む上記シート搬送機構部は、プラテン２０に対し、第１搬送ローラ２１及び第２搬送ローラ２２がプリンタ本体１１の前方側に、第３搬送ローラ２３及び第４搬送ローラ２４がプリンタ本体１１の後方側にそれぞれ配置されて構成される。更に、第１搬送ローラ２１と第２搬送ローラ２２が、また第３搬送ローラ２３と第４搬送ローラ２４が、それぞれ上下方向に配置されて対をなしている。
【００２４】
このうち、第１搬送ローラ２１及び第３搬送ローラ２３は、プラテン２０と共にシート案内２５の下方に配置され、第２搬送ローラ２２及び第４搬送ローラ２４がシート案内２５の上方に配置される。
【００２５】
第１搬送ローラ２１及び第４搬送ローラ２４は、図示しない駆動輪列部により、図１における時計方向（ＣＷ）または反時計方向（ＣＣＷ）に回転駆動される。また、上記プッシュトラクタユニット１２のトラクタベルト３１は、同様に上記駆動輪列部により反時計方向に駆動される。
【００２６】
上記駆動輪列部は、左サイドフレーム１６又は右サイドフレーム１７の一方、例えば右サイドフレーム１７に設置される。この駆動輪列部は、正転または逆転可能なシート搬送モータ３５の駆動軸に回転一体に固定されたモータピニオン３６を備える。このモータピニオン３６からの駆動力が巻掛け伝動機構や歯車機構等の上記駆動輪列部を介して、第１搬送ローラ２１、第４搬送ローラ２４及びプッシュトラクタユニット１２へ伝動可能とされる。尚、第２搬送ローラ２２及び第３搬送ローラ２３は従動ローラである。
【００２７】
単票紙又は単票複写紙等のカットシートは、プリンタ本体１１の前方側から手動供給された後、第１搬送ローラ２１及び第３搬送ローラ２３の時計方向の回転、並びに第２搬送ローラ２２、第４搬送ローラ２４の反時計方向の回転により、プリンタ本体１１の前方から後方へ向かって矢印Ａ方向に搬送される。また、上記カットシートは、第１搬送ローラ２１及び第３搬送ローラ２３の反時計方向の回転、並びに第２搬送ローラ２２、第４搬送ローラ２４の時計方向の回転により、プリンタ本体１１の後方から前方へ向かって矢印Ｂ方向に搬送される。
【００２８】
他方、連続紙又は連続複写紙等の連続シートは、プッシュトラクタユニット１２によりプリンタ本体１１の後方側から上述の矢印Ｂ方向に供給された後、第１搬送ローラ２１、第２搬送ローラ（不図示）、第３搬送ローラ２３及び第４搬送ローラ２４により同方向（矢印Ｂ方向）に搬送される。
【００２９】
これにより、カットシート及び連続シートは、キャリッジ１９の後述の主走査方向に直交する副走査方向に搬送される。
【００３０】
上記キャリッジ１９は、図３に示すように、キャリッジ軸２７に摺動自在に挿通されると共に、記録ヘッド１８を搭載する。
【００３１】
キャリッジ軸２７がプラテン２０と平行に配置されることから、キャリッジ１９は、これらプラテン２０の長手方向及びキャリッジ軸２７の軸方向と一致する主走査方向に走行（走査）可能に設けられる。このキャリッジ１９は、キャリッジ駆動モータ３８の正転又は逆転により往復移動されるタイミングベルト３７に結合される。従って、このキャリッジ１９は、キャリッジ駆動モータ３８の正転又は逆転により、タイミングベルト３７を介し、キャリッジ軸２７に案内されて、主走査方向における図３の左向き又は右向きに走査される。
【００３２】
ここで、キャリッジ駆動モータ３８は、シート搬送モータ３５と共に例えばステッピングモータにて構成される。
【００３３】
キャリッジ１９には、図２に示すように、ステーショナル形式のリボンカートリッジ４２内のインクリボンを、プラテン２０の上面に接して搬送されるシート（カットシートまたは連続シート）から保護するリボンマスクホルダ４１が設置されている。リボンカートリッジ４２内のインクリボンは、リボン駆動軸４３により駆動されて、記録ヘッド１８の記録ワイヤの前方を、主走査方向と同一の方向に移動可能に構成される。
【００３４】
上記記録ヘッド１８は多数の記録ワイヤ（不図示）を備え、これらの記録ワイヤの突出方向前方に、上述の如くインクリボンが位置する。記録ヘッド１８は、キャリッジ１９と共に主走査方向に走査される間に、記録ワイヤを突出させてインクリボンに打ち当て、このインクリボンのインクを、プラテン２０と記録ヘッド１８との間に搬送されるシート（カットシート又は連続シート）に付着させて、このシートに文字を含む画像を記録する。
【００３５】
記録ヘッド１８による記録動作は、キャリッジ１９が主走査方向左向き又は右向きに走査される間に、記録ヘッド１８の記録ワイヤにより一行文の記録がなされ、この一行文の記録がなされる度に、シートがカットシートの場合には、シート搬送機構部（第１搬送ローラ２１、第２搬送ローラ２２、第３搬送ローラ２３及び第４搬送ローラ２４）が、またシートが連続シートの場合には、上記シート搬送機構部及びプッシュトラクタユニット１２が、それぞれシートを所定長（通常行間分）搬送させ、これらの動作が繰り返されることにより実施される。
【００３６】
ところで、プリンタ１０は、キャリッジ１９の移動速度及び記録ヘッド１８における記録ワイヤのインパクト力を設定するための記録モードをユーザにより選択可能に構成されている。そして、プリンタ１０は、選択された記録モードに設定し、この設定した記録モードに応じて記録動作を行う。
【００３７】
この記録モードには、例えば、一枚紙等の単票紙或いは連続紙に画像を記録するのに適したキャリッジ１９の移動速度及び記録ヘッド１８の記録ワイヤのインパクト力に設定するノーマル記録モードと、ノンカーボン複写紙の単票紙或いは連続紙に画像を記録するのに適したキャリッジ１９の移動速度及び記録ヘッド１８の記録ワイヤのインパクト力に設定するコピー記録モード（所定の記録モード）とがある。
【００３８】
本第１実施形態では、このコピー記録モードに設定された場合にノンカーボン複写紙を加熱する加熱手段として電気ヒータ４５を備えている。つまり、コピー記録モードで画像を記録する場合に電気ヒータ４５でノンカーボン複写紙を加熱するものである。この電気ヒータ４５は、プラテン２０を加熱すべく、プラテン２０のプラテンベース２０Ａに接触して設けられている。従って、ノンカーボン複写紙の複数枚綴りの紙の内、最下層の紙の裏面がプラテン２０を介して電気ヒータ４５により加熱されることとなる。即ち、プラテン２０に接する側の紙が加熱される。この電気ヒータ４５は、このプラテン２０を均一に加熱するために、プラテン２０の長手方向に亘って延在して設けられている。プリンタ１０には、プリンタ１０全体を制御するとともに、この電気ヒータ４５を制御する制御基板部５１（図４）が備えられている。
【００３９】
図４は、制御基板部５１の概要構成ブロック図である。
【００４０】
制御基板部５１は、大別すると、コントローラ５２、インターフェース（Ｉ／Ｆ）５３、モータ駆動部５４、記録ヘッド駆動部５５及びヒータ駆動部５６を備えている。
【００４１】
コントローラ５２は、ＣＰＵ（Central Processing Unit）５７、ＲＯＭ（Read Only Memory）５８及びＲＡＭ（Random Access Memory）５９などから構成される。ＣＰＵ５７は、ＲＯＭ５８に記憶された制御プログラムに従ってプリンタの動作を中枢的に制御する。このＲＯＭ５８は、ＥＥＰＲＯＭ（Electrically Erasable and Programmable ROM）などの書き換え可能なＲＯＭが適用され、各種制御プログラム、データなどが記憶されている。また、ＲＡＭ５９は、ＣＰＵ５７が読み出したプログラムや印字データなどが一時的に格納されるメモリである。
【００４２】
インターフェース５３は、コントローラ５２の制御の下、通信ケーブルを介して接続されたパーソナルコンピュータ等の外部機器との間で印字データなどの各種データを送受信する。モータ駆動部５４は、コントローラ５２の制御の下、シート搬送モータ３５及びキャリッジ駆動モータ３８を駆動する。記録ヘッド駆動部５５は、コントローラ５２の制御の下、記録ヘッド１８を駆動することにより、記録ワイヤ（不図示）を選択的に突出させる。ヒータ駆動部５６は、コントローラ５２の制御の下、電気ヒータ４５へ通電する。具体的には、ヒータ駆動部５６は、電気ヒータ４５に直列に電気的に接続された不図示のスイッチング素子（例えば、トランジスタ）を備えている。このスイッチング素子が、コントローラ５２によりオンされた場合に電気ヒータ４５への通電が行われ、コントローラ５２によりオフされた場合に電気ヒータ４５への通電が遮断される。
【００４３】
次に、上記プリンタ１０の記録モードに対応した電気ヒータ４５の制御動作について説明する。
【００４４】
まず、記録モードとして、ノーマル記録モードに設定された場合、コントローラ５２は、ヒータ駆動部５６の不図示のスイッチング素子をオフ制御することにより電気ヒータ４５への通電を遮断する制御を行う。つまり、ノーマル記録モードの場合は、搬送されるシートが１枚紙等でありノンカーボン複写紙ではないので、電気ヒータ４５によりシートを加熱する必要がない。
【００４５】
次に、記録モードとして、コピー記録モードに設定された場合、コントローラ５２は、電気ヒータ４５への通電時間を制御する。具体的には、プラテン２０の温度が、プリンタ１０の雰囲気温度よりも高く、ノンカーボン複写紙がカールしない程度の所定の温度（例えば、６０℃）となるように、ヒータ駆動部５６の不図示のスイッチング素子をオンオフ制御する。このプラテン２０のプラテンベース２０Ａは、金属であるので熱伝導率がよい。従って、このプラテン２０に搬送されたノンカーボン複写紙としての単票複写紙或いは連続複写紙は、このプラテン２０を介して電気ヒータ４５により効率よく加熱される。
【００４６】
このように、本第１実施形態では、ノンカーボン複写紙が電気ヒータ４５によりプラテン２０を介して加熱されるので、記録ヘッド１８の記録ワイヤの突出動作によりノンカーボン複写紙に画像が記録された場合、顕色剤が塗布された紙の表面において記録ワイヤが打ち付けられた部分に相当する箇所が良好に発色し、ノンカーボン複写紙の記録濃度が向上するため、画像の記録品質が向上する。
【００４７】
また、従来、ノンカーボン複写紙における複数枚綴りの紙の内、記録ワイヤがインクリボンを介して打ち付けられる紙を最上層の紙として、下層の紙にいくほど記録濃度が薄くなるものであったが、本第１実施形態では、ノンカーボン複写紙の最下層の紙の裏面がプラテン２０を介して電気ヒータ４５により加熱されるので、複数枚綴りのノンカーボン複写紙の下層の紙ほど効果的に記録品質が向上する。
【００４８】
［２］第２実施形態
上記第１実施形態では、電気ヒータ４５によりプラテン２０を加熱してノンカーボン複写紙を加熱する場合について説明したが、本第２実施形態では、ノンカーボン複写紙が搬送されるプラテンの上流側或いは下流側のシート搬送経路に加熱手段を設ける場合について説明する。なお、本第２実施形態において、上記第１実施形態と同様の構成に関しては、同一符号を付して説明を省略する。
【００４９】
図５は、第２実施形態のプリンタ本体を示す側断面図である。図５において、プリンタ１０は、加熱手段としての電気ヒータ４５Ａを備え、この電気ヒータ４５Ａに接触する金属板４６がシートを案内するように、シート搬送経路Ｘに設けられている。この金属板４６は、ノンカーボン複写紙がシート搬送経路Ｘに搬送されたときにノンカーボン複写紙全体が加熱されるように、シート搬送経路Ｘにプラテン２０の長手方向と平行に延在して設けられている。つまり、この金属板４６は、プラテン２０とほぼ同じ長に設定されている。また、電気ヒータ４５Ａは、金属板４６に沿って延在するように設けられている。
【００５０】
この電気ヒータ４５Ａが接触する金属板４６は、連続複写紙が矢印Ｂ方向に搬送されたときのプラテン２０の上流側、言い換えれば、単票複写紙が矢印Ａ方向に搬送されたときのプラテン２０の下流側のシート搬送経路Ｘに設けられている。
【００５１】
以上、本第２実施形態においても、上記第１実施形態と同様に、記録ヘッド１８の記録ワイヤの突出動作によりノンカーボン複写紙に画像が記録された場合、顕色剤が塗布された紙の表面において記録ワイヤが打ち付けられた部分に相当する箇所が良好に発色し、ノンカーボン複写紙の記録濃度が向上するため、記録品質が向上するものである。
【００５２】
［３］第３実施形態
上記第１及び第２実施形態では、加熱手段として電気ヒータを備えるものであったが、本第３実施形態では、記録ヘッドの排熱を利用する構成について説明する。なお、本第３実施形態において、上記第１実施形態と同様の構成に関しては、同一符号を付して説明を省略する。
【００５３】
図６は、第３実施形態のプリンタ本体を示す側断面図である。また、図７は、図６のプリンタ本体の一部分の概略を示す平面図である。プリンタ１１０は、図６に示すように、記録装置本体としてのプリンタ本体１１と、このプリンタ本体１１に着脱自在に装着されたプッシュトラクタユニット１２及び排出ユニット１３と、同じくプリンタ本体１１に着脱自在に装着されたシート供給ガイド３９とを有して構成される。
【００５４】
本第３実施形態において、プラテン６１、シート案内２５及びピンチローラ６２を有してシート搬送機構部が構成される。
【００５５】
プラテン６１は、円筒形型の丸プラテンであり、プラテン軸６３に回転一体に固定され、このプラテン軸６３が、左サイドフレーム１６と右サイドフレーム１７との間に架け渡されて、回転自在に枢支される。
【００５６】
プッシュトラクタユニット１２は、シートＳとしての連続紙又は連続複写紙をシート搬送機構部へ送り出し、シート供給ガイド３９は、シートＳとしての単票紙又は単票複写紙を１枚づつシート搬送機構部へ供給する。また、排出ユニット１３は、連続紙または単票紙をシート搬送機構部からプリンタ１１０外へ引き出すものである。
【００５７】
つまり、プッシュトラクタユニット１２のトラクタベルト３１の回転により、このトラクタベルト３１のピン３３の作用で、連続紙又は連続複写紙は、シート搬送機構部のシート案内２５に案内されてプラテン６１へ向い、矢印α方向に送給される。このプッシュトラクタユニット１２の非動作時に、シート供給ガイド３９から単票紙又は単票複写紙が一枚ずつ、シート案内２５を経てプラテン６１へ供給可能とされる。また、排出ユニット１３の排出ローラ６４の回転により、記録ヘッド１８により文字等が記録された連続紙または単票紙は、シート搬送機構部のプラテン２０から矢印β方向に引き出される。これにより、連続紙、連続複写紙、単票紙又は単票複写紙は、キャリッジ１９の主走査方向に直交する副走査方向に搬送される。
【００５８】
上記プリンタ１１０がシートＳに画像を記録する記録動作を行う場合、記録ヘッド１８は、記録動作によって発熱する。この記録ヘッド１８の熱は、通常、記録ヘッド１８の放熱器（不図示）を介して放熱されることとなる。
【００５９】
本第３実施形態では、プリンタ１１０は、図６及び図７に示すように、記録ヘッド１８の排熱を伝達してノンカーボン複写紙を加熱する加熱手段として金属体６５を備えている。
【００６０】
この金属体６５は、キャリッジ軸２７に接触して設けられるとともに、シート搬送経路Ｙに配置される。具体的には、金属体６５は、キャリッジ軸２７が挿通される挿通部６６と、この挿通部６６に一体に形成され、プラテン６１の長手方向と同一方向に延在してシート搬送経路Ｙに配置されるシート加熱部６７と、を有して構成される。この金属体６５の挿通部６６は、キャリッジ１９の走行に支障をきたすようなことがないように、キャリッジ軸２７の両端（つまり、シート加熱部６７の長手方向の両端）に設けられている。また、この金属体６５のシート加熱部６７は、プラテン６１に対向して搬送されたシートＳを案内するように、キャリッジ１９とプラテン６１とで挟まれて形成される空間におけるシート搬送経路Ｙに配置されている。
【００６１】
本第３実施形態では、プラテン６１が丸プラテンであるので、シート加熱部６７のプラテン面に対向する面は、このプラテン面に沿うように湾曲して形成されている。また、この金属体６５のシート加熱部６７は、シートＳが搬送されるプラテン６１の上流側に配置されている。
【００６２】
以上の構成で、記録ヘッド１８の排熱は、記録ヘッド１８の放熱器を介してキャリッジ１９に伝達し、このキャリッジ１９からキャリッジ軸２７に伝達する。このキャリッジ軸２７に伝達した熱は、キャリッジ軸２７の両端に設けた金属体６５の挿通部６６を経てシート加熱部６７に伝達される。
【００６３】
本第３実施形態では、金属体６５が不図示のステッピングモータにより回動されることにより、金属体６５のシート加熱部６７がプラテン６１面から遠ざかる方向或いはプラテン６１面に近づく方向に後退或いは近接自在に構成されている。つまり、金属体６５が不図示のステッピングモータによりキャリッジ軸２７の中心軸を中心に回動され、金属体６５のシート加熱部６７がプラテン６１面に対して後退或いは近接される。
【００６４】
次に、プリンタ１１０の記録モードに応じた動作について説明する。
【００６５】
まず、コピー記録モードに設定された場合、金属体６５のシート加熱部６７がプラテン６１面に対して近接するように金属体６５が回動される。これによって、キャリッジ軸２７に伝達された記録ヘッド１８の排熱で、搬送されたノンカーボン複写紙が加熱される。この状態のとき、図６に示すように、キャリッジ１９とシート加熱部６７との間には、所定の隙間ｔが形成される。
【００６６】
また、コピー記録モード以外の記録モード（ノーマル記録モード）に設定された場合、シート加熱部６７がキャリッジ１９に干渉しない程度に、シート加熱部６７がプラテン６１から遠ざかる方向（キャリッジ１９に近づく方向）に金属体６５をキャリッジ軸２７の中心軸を中心に回動させて、シート加熱部６７を後退させ、シート加熱部６７を所定の隙間ｔに退避させる。これによって、コピー記録モード以外の記録モードに設定された場合、金属体６５のシート加熱部６７が退避されるので、ノンカーボン複写紙以外のシートが搬送された場合に、シートが加熱されることはない。
【００６７】
以上、本第３実施形態においても、上記第１実施形態と同様に、記録ヘッド１８の記録ワイヤの突出動作によりノンカーボン複写紙に画像が記録された場合、顕色剤が塗布された紙の表面において記録ワイヤが打ち付けられた部分に相当する箇所が良好に発色し、ノンカーボン複写紙の記録濃度が向上するため、記録品質が向上するものである。
【００６８】
以上、実施形態に基づいて本発明を説明したが、本発明は、これに限定されるものではない。
【００６９】
例えば、上記第１及び第２実施形態では、ヒータ駆動部５６がスイッチング素子を備え、このスイッチング素子をオンオフ制御して電気ヒータ４５への電流を調整する場合について説明したが、抵抗器等で電気ヒータ４５への電流を設定してもよい。この場合、電気ヒータ４５に直列に不図示のスイッチを設け、電気ヒータ４５への電流を遮断するときは、このスイッチをオフにするようにすればよい。
【００７０】
また、上記第２実施形態では、電気ヒータ４５が接触する金属板４６が、連続複写紙が矢印Ｂ方向に搬送されたときのプラテン２０の上流側、言い換えれば、単票複写紙が矢印Ａ方向に搬送されたときのプラテン２０の下流側のシート搬送経路Ｘに設置されている場合について説明したが、電気ヒータ４５が接触する金属板４６が、単票複写紙が矢印Ａ方向に搬送されたときのプラテン２０の上流側、言い換えれば、連続複写紙が矢印Ｂ方向に搬送されたときのプラテン２０の下流側のシート搬送経路Ｘに設置される場合であってもよい。
【００７１】
また、上記第１及び第２実施形態では、プラテン２０が平プラテンの場合について説明したが、丸プラテンであってもよい。また、上記第３実施形態では、プラテン６１が丸プラテンの場合について説明したが、平プラテンであってもよい。
【００７２】
また、上記第１実施形態では、電気ヒータ４５によりプラテン２０を加熱する場合について説明したが、記録ヘッド１８の排熱を利用してプラテン２０を加熱するように構成してもよい。
【００７３】
また、上記第３実施形態では、金属体６５のシート加熱部６７がプラテン６１の上流側に配置される場合について説明したが、プラテン６１の上流側に配置されるようにしてもよい。
【００７４】
また、上記第３実施形態では、金属体６５のシート加熱部６７がプラテン６１面から遠ざかる方向或いはプラテン６１面に近づく方向に後退或いは近接自在に構成される場合について説明したが、シート加熱部６７が、常に搬送されたシートに接触する場合であってもよい。つまり、記録ヘッドの排熱を利用してノンカーボン複写紙を含むシートを加熱する場合であってもよい。この場合、金属体６５のシート加熱部６７では、このシート加熱部６７に熱が伝達するまでに記録ヘッド１８の放熱器やキャリッジ１９、キャリッジ軸２７等である程度放熱されているため、搬送されてきたノンカーボン複写紙を含むシートが、カールする等の不具合が生じるまでに過熱されることはない。
【図面の簡単な説明】
【００７５】
【図１】本発明に係る記録装置の第１実施形態が適用されたドットインパクトプリンタを示す斜視図である。
【図２】図１のプリンタ本体を示す側断面図である。
【図３】図１のプリンタ本体を示す斜視図である。
【図４】制御基板部の概要構成を示すブロック図である。
【図５】第２実施形態のプリンタ本体を示す側断面図である。
【図６】第３実施形態のプリンタ本体を示す側断面図である。
【図７】図６のプリンタ本体の一部分の概略を示す平面図である。
【符号の説明】
【００７６】
１０，１１０…プリンタ（記録装置）、１８…記録ヘッド、１９…キャリッジ、２０，６１…プラテン、４５，４５Ａ…電気ヒータ（加熱手段）、４６…金属板、６５…金属体（加熱手段）。
【図１】
2005081579.tif 000003
【図２】
2005081579.tif 000004
【図３】
2005081579.tif 000005
【図４】
2005081579.tif 000006
【図５】
2005081579.tif 000007
【図６】
2005081579.tif 000008
【図７】
2005081579.tif 000009